(57)【要約】【課題】  入室及び退室をＩＤ判別と複数の扉を通行したか否かを記録する通行履歴に基づいて通行を制限する入退室管理システムにおいて、複数の扉を経由して入室を許可されたエリアに到達する場合、あらかじめ設定された通行ルートから外れて通行する“寄り道”を制限する手段を得ること。【解決手段】  利用者が歩く歩数Ｈをカウントする歩数カウント機能部６を備えたＩＤ識別媒体９と、前記複数の各扉に設けられ、前記歩数カウント機能部６がカウントした歩数Ｈを読取るデータ読取機能部ＤＮ１と、前記利用者が所定の区間を歩いた歩数を扉間歩数ＤＨとして算出し、あらかじめ決められたルートを歩くときの歩数を許容歩数として設定し、前記許容歩数と前記扉間歩数ＤＨとを比較して、前記扉間歩数が前記許容歩数より大きいとき、前記利用者の通行を制限するデータ処理部１と、を設けた。【選択図】      図１
2011090499.tif 000002
【特許請求の範囲】
【請求項１】
利用者があるエリアに入室及び退室するとき、通行可否の設定やＩＤ判別と複数の扉を通過したことを記録する通行履歴とに基づいて通行の制限をおこなう入退室管理システムにおいて、前記利用者が歩く歩数をカウントする歩数カウント機能部と、前記利用者を判別するためのＩＤデータが記録されたＩＤ識別媒体と、
前記複数の各扉に設けられ、前記歩数カウント機能部がカウントした歩数と前記ＩＤデータとを読取るデータ読取機能部と、
前記利用者が前記複数の扉の内１つの扉を通過するときに前記データ読取機能部で読取られた歩数と、前記利用者が前記１つの扉の１つ手前の扉を通過したときに前記データ読取機能部で読取られた歩数との差分の歩数を扉間歩数として算出し、前記１つの扉から前記１つの扉の１つ手前に通過した扉までの区間において、前記利用者があらかじめ決められたルートを歩くときの歩数を許容歩数として設定し、前記許容歩数と前記扉間歩数とを比較して、前記扉間歩数が前記許容歩数より大きいとき、前記利用者の通行を制限するデータ処理部と、を備えたことを特徴とする入退出管理システム。
【請求項２】
前記データ処理部は、前記許容歩数を上限及び下限の範囲に設定し、上限を最大許容歩数とし、下限を最小許容歩数とし、前記扉間歩数が前記最大許容歩数から前記最小許容歩数の範囲から外れているとき、前記利用者の通行を制限することを特徴とする請求項１に記載の入退出管理システム。    
【請求項３】
前記データ処理部は、前記利用者が前記１つの扉から前記１つの扉の１つ手前に通過した扉までの区間を一定期間歩いて通行したときの前記扉間歩数に基づいて前記許容歩数を設定することを特徴とする請求項１または請求項２に記載の入退出管理システム。
【請求項４】
前記データ処理部は、前記管理者に通知する通知手段を備え、前記通知手段は、前記扉間歩数の一定期間の推移を分析し、前記扉間歩数の推移が上昇傾向又は下降傾向にあるとき、前記管理者に扉間歩数の推移が上昇傾向又は下降傾向にある前記利用者を通知することを特徴とする請求項１から請求項３のいずれかに記載の入退出管理システム。
【発明の詳細な説明】
【技術分野】
【０００１】
この発明は、利用者があるエリアに入室及び退室するとき、通行可否の設定やＩＤ判別と複数の扉を通過したことを記録する通行履歴とに基づいて通行の制限をおこなう入退室管理システムに関するものである。
【背景技術】
【０００２】
個人情報などの機密情報の漏洩を防止するために、機密情報を取り扱う企業では情報セキュリティーが重要視されている。例えば、機密情報を取り扱う企業などの出入り口には、許可された利用者以外の入退室を防止すべく、ＩＣカードなどのＩＤ識別媒体を用いた入退室管理システムが設置され、入退室する利用者が管理されている。
【０００３】
例えば、特許文献１では、施設内の部屋への入退室を管理する入退室管理方法であって、利用者がある扉を通行するときに、その扉に設置されたデータ読取装置で、利用者のＩＤ識別媒体に記録されたログを読取って、そのログに記録されている前記ある扉の１つ前に通過した扉の管理番号を参照し、前記ある扉を通過する順序が入退室管理システムにあらかじめ登録された扉の通過順序に合致しているか否かを判定することを特徴とする。
【０００４】
この入退室管理システムでは、特定のエリアに入室を許可された利用者が、複数の扉を経由して特定のエリアに到達する場合、本人を特定するためのＩＤ確認に加えて「扉を通過する順序」に合致していれば通行を許可し、合致していなければ、通行を許可しない運用が可能である。
【特許文献１】特開２００８−７９４１号公報
【発明の開示】
【発明が解決しようとする課題】
【０００５】
しかしながら、上記のような従来の入退出管理システムによれば、ある利用者があらかじめ決められた「扉を通過する順序」どおりに通行していても、１つの扉とその次の扉へ通行するとき、本来必要ではないルートを通行したり、許可されていない場所に立ち入るような “寄り道”を検出できないという問題がある。
【０００６】
すなわち、利用者が、複数ある扉の内１つの扉を通過してから次の扉を通過する順番だけを通行条件としているため、１つの扉を通過してから次の扉を通過するまでに経由するルートまでは制限されていない。そのため、１つの扉を通過してから次の扉を通過するまでに経由するルートにおいて、利用者の上記のような“寄り道”を制限することはできず、セキュリティーレベルが低下してしまうという問題があった。
【０００７】
この発明は上記のような問題を解決するためになされたものであり、その目的は、あるエリアに入室及び退室するとき、通行可否の設定やＩＤ判別と複数の扉を通過したことを記録する通行履歴とに基づいて通行の制限をおこなう入退室管理システムにおいて、複数の扉を経由して入室を許可されたエリアに到達する場合、あらかじめ設定された通行ルートから外れて通行する“寄り道”を制限できる入退出管理システムを得ることである。
【課題を解決するための手段】
【０００８】
この発明にかかる入退出管理システムは、利用者があるエリアに入室及び退室するとき、通行可否の設定やＩＤ判別と複数の扉を通過したことを記録する通行履歴とに基づいて通行の制限をおこなう入退室管理システムにおいて、利用者が歩く歩数をカウントする歩数カウント機能部と、利用者を判別するためのＩＤデータが記録されたＩＤ識別媒体と、複数の各扉に設けられ、歩数カウント機能部がカウントした歩数とＩＤデータとを読取るデータ読取機能部と、利用者が複数の扉の内１つの扉を通行するときにデータ読取機能部で読取られた歩数と、利用者が１つの扉の１つ手前の扉を通過したときにデータ読取機能部で読取られた歩数との差分を扉間歩数として算出し、１つの扉から１つの扉の１つ手前に通過した扉までの区間において、利用者があらかじめ決められたルートを歩くときの歩数を許容歩数として設定し、許容歩数と扉間歩数とを比較して、扉間歩数が許容歩数より大きいとき、利用者の通行を制限するデータ処理部と、を設けて構成した。
【発明の効果】
【０００９】
この発明にかかる入退出管理システムは、複数の扉においてＩＤ判別がおこなわれるとき、ＩＤ識別媒体からＩＤデータと共に利用者の歩数データを自動で入退出管理システムへ送信し、送信された歩数データから利用者が所定の区間を歩いた歩数を算出し、算出された歩数とあらかじめ決められた所定の区間を歩くときの許容歩数とを比較することにより、利用者の“寄り道”を制限することができるという効果を奏する。
【発明を実施するための最良の形態】
【００１０】
実施の形態１
図１から図５は、この発明の実施の形態１に係るもので、図１は入退室管理システムの全体構成を示す図、図２は利用者データベース部３の概念を示す図、図３は扉間歩数データベース部４の概念を示す図、図４は利用者歩数データベース部５の概念を示す図、図５は入退室管理システムの運用の流れを示すフロー図である。
【００１１】
図１において、図示しない建物のあるエリアに入退室するために複数の扉Ｄ１、Ｄ２、…、ＤＮが設けられ、複数の各扉の近傍にはデータ読取機能部Ｄ１１、Ｄ２１、…、ＤＮ１が設置されている。以下、複数の扉を総称してＤＮと表記し、データ読取機能部を総称してＤＮ１と表記する。
【００１２】
データ読取機能部ＤＮ１は、磁気カードリーダー、ＩＣカードリーダー、非接触カードリーダーなどと通信をおこない、これらのカードに記録された利用者のＩＤデータなどを読取る機能を有する装置である。
【００１３】
また、データ読取機能部ＤＮ１は、これらのカードと通信をおこない、該カードに対して動作要求をしたり、読取ったＩＤデータなどを上位の管理装置へ送信するなど、双方向のデータ通信をおこなう読取端末である。
【００１４】
また、複数の扉Ｄ１、Ｄ２、…、ＤＮには、扉制御機能部Ｄ１２、Ｄ２２、…、ＤＮ２が設置されている。以下、扉制御機能部を総称してＤＮ２と表記する。
【００１５】
扉制御機能部ＤＮ２は、扉ＤＮの近傍に設けられ、扉ＤＮの施錠・解錠、開閉制御などの制御信号を送信する装置であり、例えば、電気錠の施錠・解錠をおこなう制御盤や自動ドアの開閉をおこなう制御装置である。
【００１６】
データ読取機能部ＤＮ１は、データ処理部１に接続されており、相互にＩＤデータや制御信号などの必要なデータを授受できるように通信状態が確保されている。
【００１７】
また、扉制御機能部ＤＮ２は、データ処理部１に接続されており、相互に扉ＤＮの施錠・解錠信号などの必要なデータを授受できるように通信状態が確保されている。
【００１８】
データ処理部１は、管理人室などに設けられ、入退室管理システムにおいて、該システム全体の管理をおこなう上位の管理装置であり、例えば、ＰＣ（Personal Computer）のＣＰＵ（Central Processing Unit）などで構成される。
【００１９】
ＩＤ識別媒体９は、利用者があらかじめ決められたルートを通行するときに利用者自身が携帯できる程度の重さや形状を備えた装置であり、歩数カウント機能部６とデータベース部７と通信機能部８とにより構成される。
【００２０】
歩数カウント機能部６は、利用者が歩いた歩数をカウントし、カウントした歩数をデータベース部７へ送信する装置であり、例えば、歩数計などで構成される。
【００２１】
データベース部７は、利用者のＩＤデータが記録され、歩数カウント機能部６から送信された歩数データを格納する装置であり、送信された歩数データを常に最新の値として格納する。例えば、磁気カードリーダー、ＩＣカードリーダー、非接触カードリーダーなどに備わるデータベース機能で構成される。
【００２２】
通信機能部８は、データ読取機能ＤＮ１と通信をおこない、データベース部７に格納された利用者のＩＤデータと歩数データなどをデータ読取機能部ＤＮ１へ送信する装置であり、例えば、磁気カードリーダー、ＩＣカードリーダー、非接触カードリーダーなどに備わる通信機能で構成される。
【００２３】
ＩＤ識別媒体９を構成する各機能部やデータベース部は、相互にＩＤデータ、歩数データ、制御信号などの必要なデータを授受できるように双方向の通信状態が確保されている。
【００２４】
データ処理部１には、データ入力機能部２、利用者データベース部３、扉間歩数データベース部４、利用者歩数データベース部５が接続されている。
【００２５】
データ入力機能部２は、管理人室などに設けられ、利用者のＩＤデータや扉ＤＮの通行条件などの設定、登録をおこなうための装置であり、例えば、ＰＣとキーボードや液晶タッチパネルなどのマンマシンインターフェースで構成される。
【００２６】
利用者データベース部３は、管理人室などに設けられ、データ入力機能部２により登録される利用者のＩＤデータや扉ＤＮの通行条件などのデータが格納される装置であり、例えば、ＰＣのＨＤＤ（Hard Disc Drive）やメモリ等で構成される。
【００２７】
扉間歩数データベース部４は、管理人室などに設けられ、データ入力機能部２により登録される利用者が所定の区間を歩くときの許容歩数が格納される装置であり、例えば、ＰＣのＨＤＤやメモリ等で構成される。
【００２８】
利用者歩数データベース部５は、管理人室などに設けられ、データ処理部１によりデータ読取機能部ＤＮ１がＩＤ識別媒体９から読取った利用者の歩数データが格納される装置であり、例えば、ＰＣのＨＤＤやメモリ等で構成される。
【００２９】
データ処理部１とこれに接続されている各機能部や各データベース部とは、相互にＩＤデータ、利用者の歩数データ、制御信号などの必要なデータを授受できるように双方向の通信状態が確保されている。
【００３０】
次に、この実施の形態における入退室管理システムを構成する各機能部及び各データベース部の動作について説明する。
【００３１】
利用者はＩＤ識別媒体９を携帯し、あらかじめ決められたルートを通行する。ＩＤ識別媒体９の歩数カウント機能部６は、利用者が歩いた歩数を常にカウントする。カウントした歩数は、データベース部７へ送信される。
【００３２】
歩数カウント機能部６から送信された歩数は、いったんデータベース部７に格納される。次に歩数カウント機能部６から歩数が送信されたときは、データベース部７は、直前に格納された歩数を最新の歩数に置き換えるように更新し、常に最新の歩数が格納されるようにする。
【００３３】
利用者は扉ＤＮを通過するときに、ＩＤ識別媒体９の通信機能部８をデータ読取機能部ＤＮ１にかざす。通信機能部８は、データ読取機能部ＤＮ１と通信を開始する。
【００３４】
データ読取機能部ＤＮ１は、ＩＤ識別媒体９の通信機能部８と通信をおこない、データベース部７に格納された利用者のＩＤデータ、最新の歩数データなどの必要なデータを読取る。
【００３５】
データ読取機能部ＤＮ１は、ＩＤ識別媒体９から読取った利用者のＩＤデータと歩数データをデータ処理部１へ送信する。
【００３６】
データ処理部１は、データ読取機能部ＤＮ１から送信されたＩＤデータや歩数データに基づき利用者の本人確認や通行可否の判定をおこなう。
【００３７】
ここで、データ読取機能部ＤＮ１で読取られた利用者の歩数をＨと表す。例えば、扉Ｄ１、Ｄ２、…、ＤＮで読取られた歩数をＨ（Ｄ１）、Ｈ（Ｄ２）、…、Ｈ（ＤＮ）として表す。
【００３８】
また、この複数の扉ＤＮの内、扉ＤＮを通過するときにデータ読取機能部ＤＮ１で読取られた歩数Ｈ（ＤＮ）と、扉ＤＮの１つ手前の扉Ｄ１を通過したときにデータ読取機能部Ｄ１１で読取られた歩数Ｈ（Ｄ１）との差分の歩数を扉間歩数としてＤＨと表す。例えば、扉Ｄ１と扉ＤＮの区間における扉間歩数ＤＨは、ＤＨ（１−Ｎ）又はＤＨ（Ｎ−１）と表す。
【００３９】
また、Ｈ（ＤＮ）＞Ｈ（Ｄ１）のとき、Ｈ（ＤＮ）とＨ（Ｄ１）の差分、すなわち、Ｈ（ＤＮ）−Ｈ（Ｄ１）が、利用者が扉Ｄ１と扉ＤＮの区間を通行したときの扉間歩数ＤＨ（Ｎ−１）となる。
【００４０】
従って、上記のとおり構成したので、利用者の歩数Ｈ（ＤＮ）とＨ（Ｄ１）を読取ることにより、利用者が扉ＤＮと扉Ｄ１の区間を通行したときの歩数として扉間歩数ＤＨ（Ｎ−１））を算出できる。
【００４１】
利用者データベース部３は、図２に示すとおり利用者のＩＤ番号、通行可能扉、扉の通過順序などが登録されている。図においてＩＤ番号とは、各利用者に割り当てられた本人を特定するための識別番号である。通常、ＩＤ番号は全ての利用者に固有のシリアル番号、例えば、00001〜00004のように設定される。
【００４２】
通行可能扉とは、各利用者によって通行を許可されている扉の意味である。利用者はここに記載がある扉を通行することはできるが、記載の無い扉を通行することはできない。
【００４３】
扉の通過順序とは、各利用者によって決められた通行可能扉を通過する順序の意味である。例えば、利用者Ａと利用者Ｂの通行可能扉は同じであるが、扉の通過順序は異なっている。利用者はこの扉の通行順序に従って通行しなければならない。
【００４４】
扉間歩数データベース部４は、図３に示すとおりの許容歩数が登録されている。許容歩数とは、利用者があらかじめ決められたルート歩くとき、利用者が通過した扉から次に通過する扉までの区間において、扉間歩数ＤＨの上限として管理者が任意に設定する歩数を意味する。
【００４５】
この許容歩数によって、利用者がある扉を通過するとき、その扉から１つ手前に通過した扉までの区間を歩いた扉間歩数ＤＨが、この許容歩数に収まっている場合はそのまま通過できるが、許容歩数を超えた場合は通行を制限される。
【００４６】
この実施の形態にあっては、許容歩数の登録を管理者がデータ入力機能部２を用いて手入力でおこなう設定（マニュアル設定）としている。
【００４７】
図において、例えばＩＤ番号（00001）の利用者Ａの場合、扉Ｄ１は「−」である。これは図２の利用者Ａの「扉の通過順序」において扉Ｄ１が１番目に通過する設定になっているため、扉間歩数ＤＨは存在しないことを意味する。他の利用者の場合も同様、「扉の通過順序」が１番目に設定されている扉及び「通行可能扉」に設定が無い扉に対応する許容歩数の設定は無い。
【００４８】
次に、同じくＩＤ番号（00001）の利用者Ａの場合、扉Ｄ２は「35歩」である。これは図２の利用者Ａの「扉の通過順序」において扉Ｄ２が２番目に通過する設定になっているため扉間歩数ＤＨは存在し、当該区間における許容歩数が「35歩」であることを意味する。
【００４９】
すなわち、利用者は、扉Ｄ２−扉Ｄ１の区間を歩くとき、ＤＨ（２−１）が、35歩以内の場合は扉Ｄ２を通行できるが、35歩を超えた場合は扉Ｄ２の通行を制限される。
【００５０】
利用者歩数データベース部５は、図４に示すとおり各利用者が扉ＤＮを通過したとき、データ読取機能部ＤＮ１が読取った歩数Ｈを一時的に格納する。
【００５１】
図において、例えばＩＤ番号（00001）の利用者Ａの場合、扉Ｄ２を通過したときの歩数Ｈは「1530歩」であり、扉Ｄ１を通過したときの歩数Ｈは「1500歩」である。すなわち、この区間における扉間歩数ＤＨ（２−１）は、1530歩−1500歩＝30歩である。
【００５２】
一方、同区間におけるＩＤ番号（00001）の利用者Ａの許容歩数は図３の扉Ｄ２に記載されている「35歩」である。従って、許容歩数＞ＤＨ（２−１）になるので、利用者は扉Ｄ２を通行できる。
【００５３】
また、ＩＤ番号（00001）の利用者Ａの場合、扉ＤＮを通過したときの歩数Ｈは「1620歩」であり、扉Ｄ３を通過したときの歩数Ｈは「1560歩」である。すなわち、この区間における扉間歩数ＤＨ（Ｎ−３）は、1620歩−1560歩＝60歩である。
【００５４】
一方、同区間におけるＩＤ番号（00001）の利用者Ａの許容歩数は図３の扉ＤＮに記載されている「50歩」である。従って、許容歩数＜ＤＨ（Ｎ−３）になるので、利用者は扉Ｄ２の通行が制限される。
【００５５】
次に、この発明に係る入退室管理システムを利用するときは、図５に示す一連のフローに従って動作する。なお、以下の動作フローにおける利用者は、図２における利用者Ａとして説明し、利用者Ａの扉間歩数データベースは図３のＩＤ番号（00001）として説明する。
【００５６】
すなわち、ステップＳ１で利用者Ａが扉Ｄ１にてＩＤ識別媒体９を読み取らせると、ステップＳ２でデータベース部７に格納されたＩＤデータ及び歩数Ｈ（Ｄ１）をデータ読取機能部Ｄ１１が読取る。データ読取機能部Ｄ１１は、読取ったＩＤデータ及び歩数Ｈ（Ｄ１）をデータ処理部１へ送信する。
【００５７】
ステップＳ３で、データ処理部１は、データ読取部Ｄ１１から送信された利用者ＡのＩＤデータに基づき利用者データベース部３を参照し、利用者として登録されているデータベースの中から利用者Ａに合致するＩＤデータ、通行条件（通行可能扉、扉の通過順序）を抽出する。
【００５８】
ここで、利用者Ａは、扉Ｄ１は通行可能な扉で、かつ扉の通過順序は１番目に設定されているので、本人であることが確認できれば通行可能と判定される。本人であることが確認できない場合は通行不可と判定し、ステップＳ１に進む。
【００５９】
ステップＳ４で、データ処理部１は、扉制御機能部Ｄ１２へ扉Ｄ１の電気錠を開錠するように制御信号を送信し、扉制御機能部Ｄ１２は扉Ｄ１の電気錠を開錠する。
【００６０】
ステップＳ５で、扉Ｄ１認証時の利用者Ａの歩数Ｈ（Ｄ１）を利用者歩数データベース部５に格納する。
【００６１】
ステップＳ６で、利用者が扉Ｄ２まで歩く間にＩＤ識別媒体９の歩数カウント機能部６は、利用者Ａの歩数をカウントし、カウントされた歩数は、データベース部７に格納され、常に最新の歩数になるよう更新される。
【００６２】
ステップＳ７で、利用者Ａが扉Ｄ２にてＩＤ識別媒体９を読み取らせると、ステップＳ８でデータベース部７に格納されたＩＤデータ及び歩数Ｈ（Ｄ２）をデータ読取機能部Ｄ２１が読取る。
【００６３】
データ読取機能部Ｄ２１は、読取ったＩＤデータ及び歩数Ｈ（Ｄ２）をデータ処理部１へ送信する。
【００６４】
ステップＳ９で、データ処理部１は、データ読取部Ｄ２１から送信された利用者ＡのＩＤデータに基づき利用者データベース部３を参照し、利用者として登録されているデータベースの中から利用者Ａに合致するＩＤデータ、通行条件（通行可能扉、扉の通過順序）を抽出する。
【００６５】
ここで、利用者Ａは、扉Ｄ２は通行可能な扉で、かつ扉の通過順序は２番目に設定されているので、本人であることが確認できた場合、次のステップへ進む。本人であることが確認できない場合はステップＳ１に進む。
【００６６】
ステップＳ１０では、扉Ｄ２認証時の利用者Ａの歩数Ｈ（Ｄ２）を利用者歩数データベース部５に格納する。
【００６７】
ステップＳ１１で、データ処理部１は、利用者歩数データベース部５に格納されたＨ（Ｄ２）とＨ（Ｄ１）を参照し、この２つの歩数Ｈの差分を算出し、扉間歩数ＤＨを求める。
【００６８】
ステップＳ１２で、データ処理部１は、ステップＳ１１で求めた扉間歩数ＤＨと、扉間歩数データベース部４の扉Ｄ１−Ｄ２区間に設定された許容歩数とを比較し、扉間歩数ＤＨが許容歩数より小さいときは、通行可能と判定する。扉間歩数ＤＨが許容歩数より大きいときは、通行不可と判定し、ステップＳ１に進む。
【００６９】
ステップＳ１３で、データ処理部１は、扉Ｄ２の電気錠を開錠するように扉制御機能部Ｄ２２へ制御信号を送信し、扉制御機能部Ｄ２２は扉Ｄ２の電気錠を開錠する。
【００７０】
次に、利用者ＡがＩＤ識別媒体９を携帯し、扉Ｄ２を通過した後、次の扉Ｄ３を通過するとき、または、その次の扉ＤＮを通過するときの動作は、ステップＳ７からステップＳ１３と同じ動作を繰り返して、本人確認と歩数ＤＨを認証することにより利用者Ａの通行制御ができる。
【００７１】
この発明は、利用者が歩く歩数Ｈをカウントする歩数カウント機能部６を備えたＩＤ識別媒体９と、複数の扉ＤＮに設けられ、歩数カウント機能部６がカウントした歩数Ｈを読取るデータ読取機能部ＤＮ１と、利用者が複数の扉の内１つの扉Ｄ２を通過したときに読取られた歩数Ｈ（Ｄ２）とその１つ手前の扉Ｄ１を通過したときに読取られた歩数Ｈ（Ｄ１）との差分の歩数を扉間歩数ＤＨとして算出し、利用者があらかじめ決められたルートを歩くときの歩数を許容歩数として設定し、許容歩数と扉間歩数ＤＨとを比較して、扉間歩数ＤＨが許容歩数より大きいとき、利用者の通行を制限するデータ処理部１と、を設けた。
【００７２】
上記のように構成したので、利用者が所定の区間を通行したときの扉間歩数ＤＨが、同区間において、あらかじ決められた許容歩数を超えた場合、利用者があらかじめ決められたルートを外れて通行したものとみなして、これを検出することが可能となる。また、上記のような検出が可能となるため “寄り道”を制限できる入退出管理システムを得ることができる。
【００７３】
なお、扉制御機能部ＤＮ２は、電気錠の解錠制御や自動開閉扉の開閉制御など、利用者の通行を遮断する手段のみに限定されない。
【００７４】
例えば、扉の近傍に設置した表示装置等により利用者に所定の手続きを案内し、その手続きの完了を確認してから通行させるような制限をおこなう通行制御でも良く、利用者の通行が任意の手段で制限される機能を備えていれば良い。
【００７５】
実施の形態２
実施の形態２に係る入退室管理システムを示す構成図は、実施の形態１の図１と同じである。図６は、実施の形態２に係る入退室管理システムの動作を説明する平面図である。
【００７６】
実施の形態１では、利用者の“寄り道”を制限するために、ある１つの区間においてあらかじめ決められたルートを歩くときの許容歩数の上限だけを設定したが、実施の形態２では、許容歩数の範囲として上限に加えて下限も設定するようにした。
【００７７】
図６において、扉Ｄ１−Ｄ２の区間で、利用者はあらかじめ決められたルート１０を通行する。利用者がルート１０を外れて“寄り道”のルート１１のように通行した場合、ルート１０を通行したときに比較して、ルート１１は扉間歩数ＤＨが増加する。
【００７８】
扉間歩数ＤＨが増加した場合、実施の形態１によれば、同区間に設定された許容歩数と比較することにより、この“寄り道”を検出することができる。
【００７９】
一方で、利用者は、ルート１０またはルート１１以外のルート１２を通行する場合がある。ルート１２は、あらかじめ決められたルート１０を外れたルートではあるが、ルート１１のような“寄り道”ではなく、ルート１０の“近道（ショートカット）”である。
【００８０】
ここで、ルート１２の近辺に、利用者が立ち寄って欲しくない場所１３が存在する場合、管理者側としては、ルート１２が“寄り道”ではなく、“近道”であっても、利用者がルート１２を通行するのを制限したいと考える。
【００８１】
しかしながら、利用者がルート１２を通行した場合、扉間歩数ＤＨは、許容歩数を超えることはなく、逆に大幅に下回ることになることから、実施の形態１では、通行条件をパスするため、通行を制限できない。
【００８２】
すなわち、許容歩数に対して扉間歩数ＤＨが大幅に少なくなる状態があっても、扉間歩数ＤＨの上限だけを検出条件にしている実施の形態１では、通行を制限する対象として検出することはできない。
【００８３】
そこで、実施の形態２では、許容歩数を範囲として、上限に加えて下限も設定し、この許容歩数の範囲から扉間歩数ＤＨが外れたとき、通行を制限する対象として検出可能な構成にした。
【００８４】
図において、具体的な例を示す。ここで、利用者は扉Ｄ１→扉Ｄ２→扉Ｄ３→扉ＤＮの順番で通行するものとする。扉Ｄ１と扉Ｄ２の区間において、「ＤＨmax（２−１）＝35歩」は、扉Ｄ１と扉Ｄ２の区間において、許容歩数の最大歩数（最大許容歩数）が35歩であることを意味する。
【００８５】
また、「ＤＨmin（２−１）＝20歩」は、扉Ｄ１と扉Ｄ２の区間において、許容歩数の最小歩数（最小許容歩数）が20歩であることを意味する。
【００８６】
各利用者に設定される最大許容歩数と最小許容歩数は、あらかじめ決められて、管理者がデータ入力機能部２を用いて入力し、扉間歩数データベース部４に格納される。
【００８７】
この入退室管理システムの運用は、図５のステップＳ１２において、利用者の扉間歩数ＤＨが20歩以上かつ35歩以下であれば、通行は制限されないが、利用者の扉間歩数ＤＨが35歩より大きい場合あるいは20歩より小さい場合は通行を制限するように動作する。
【００８８】
上記のとおり、許容歩数を上限及び下限の範囲に設定し、上限を最大許容歩数とし、下限を最小許容歩数とし、扉間歩数ＤＨが最大許容歩数から最小許容歩数の範囲から外れているとき、利用者の通行を制限するように構成したので、 “寄り道”のルート１１だけでなく同時に“近道”のルート１２も検出することが可能となり、“寄り道”に加えて“近道”も制限できる入退出管理システムを得ることができる。
【００８９】
実施の形態３
実施の形態３に係る入退室管理システムを示す構成図は、実施の形態１の図１と同じである。図７は、実施の形態３に係る入退室管理システムの動作を説明するフローチャートである。
【００９０】
実施の形態１または実施の形態２では、入退室管理システムの管理者が利用者の許容歩数の設定を手入力でおこなうマニュアル設定であったが、実施の形態３では、利用者の許容歩数の登録を自動でおこなう（自動設定）ように構成した（図示しない）。
【００９１】
この許容歩数の自動設定の運用は、図７に示す一連のフローに従って動作する。なお、ステップＳ１４からステップＳ１５は、実施の形態１〜実施の形態３ともに共通の動作である。
【００９２】
次に、ステップＳ１６で、一定期間（例えば１週間〜１ヶ月など）を各利用者の許容歩数を自動登録する期間として、利用者にあらかじめ決められたルートを歩いて通行させる。この自動登録の期間においては、各利用者が同一のルートを繰り返して通行するとき、通行する度に歩数が大きく変化しないように留意することを利用者に周知しておく。
【００９３】
具体的には、この自動登録する期間にて、あらかじめ決められたルートを一定期間、利用者が歩いた歩数に基づき許容歩数が自動設定されることを認識した上で、許容歩数を適切に設定するため、利用者が継続して維持できる一定の歩幅やペースで歩くように周知する。
【００９４】
許容歩数を自動登録する期間において、データ処理部１は、各利用者の所定の扉間における歩数Ｈを日々自動収集し、利用者歩数データベース５に格納、蓄積する。
【００９５】
利用者が入退室管理システム運用開始してから一定期間経過後、データ処理部１は、利用者歩数データベース５に蓄積された各利用者の歩数Ｈから、実施の形態１と同じ方法を用いて扉間歩数ＤＨを算出する。
【００９６】
このようにして求めた同一区間における複数の扉間歩数ＤＨを自動集計し、平均値を算出する。この平均値を中心にして、上下一定の範囲（例えば±１０〜２０％）を定め、この範囲の上限値を最大許容歩数とし、下限値を最小許容歩数とする。
【００９７】
ステップＳ１７で、上記のようにして求めた最大許容歩数と最小許容歩数を扉間歩数データベース部７に、各利用者の設定値として自動登録する。
【００９８】
上記のとおり、利用者が所定の区間を一定期間歩いて通行したときの扉間歩数に基づいて許容歩数を設定するように構成したので、利用者毎に異なる許容歩数を手入力するために多くの手間のかかる設定作業を、簡単かつ短時間に設定可能となる。
【００９９】
また、登録すべき利用者の人数が多いときに、非常に煩雑となる利用者全員分の許容歩数の入力作業を自動化し、漏れなく簡単に一括登録することができる。なお、入退室管理システムの運用時の動作は実施の形態１または実施の形態２と同じである。
【０１００】
実施の形態４  
実施の形態４に係る入退室管理システムを示す構成図は、実施の形態１の図１と同じである。実施の形態１〜３においては、ある１つの区間において利用者の扉間歩数ＤＨが許容歩数の範囲を外れたとき、利用者の通行が制限される。
【０１０１】
しかしながら、利用者が“寄り道”又は“近道”をしていないにも拘わらず、ある１つの区間において利用者の扉間歩数ＤＨが許容歩数の範囲を外れる場合がある。
【０１０２】
例えば、利用者が入退室管理システムを使用開始した初期状態では、歩数が安定せず、扉間歩数ＤＨが大きく上下に変化したり、あるいは、怪我などをした場合には、通常の歩行が困難となり、扉間歩数ＤＨが通常よりも増えるなどして、初期登録された許容歩数の範囲から扉間歩数ＤＨが外れることがある。
【０１０３】
一方、実施の形態１〜３においては、ある１つの区間において利用者の扉間歩数ＤＨが許容歩数の範囲を外れたとき、正当な理由の有無に関係なく、利用者の通行が制限される。
【０１０４】
そのため、入退室管理システムを使用開始した初期状態や怪我をしたなどの正当な理由がある利用者も同様に通行が制限されるため、過剰な制限となって不便になることがある。
【０１０５】
また、利用者の扉間歩数ＤＨが許容歩数の範囲を外れたことを検出する手段は、あくまでも、既に“寄り道”又は“近道”をした後の状態を検出しているものであり、“寄り道”又は“近道”を未然に防止する手段としては有効ではない。
【０１０６】
そこで、実施の形態４では、利用者の扉間歩数ＤＨの一定期間の推移を分析し、その推移が上昇傾向又は下降傾向にあるとき、管理者にこの状態にある利用者を通知する。これにより、管理者がこの通知に該当する利用者の利用状況に何らかの変化があることを把握することができるように構成した。
【０１０７】
利用者が入退室管理システムの利用を開始してから一定期間が経過して、入退室管理システムの利用に慣れてくると、扉間歩数ＤＨは利用者毎に異なる平均値に収束していく。
【０１０８】
すなわち、正常な利用状態が継続している場合、扉間歩数ＤＨの推移はほぼ横ばい状態になり、上昇あるいは下降傾向のような変化は起きないものと考えられる。
【０１０９】
一方、利用者の扉間歩数ＤＨの一定期間の推移が上昇傾向又は下降傾向にある場合、利用者の歩き方や歩くルートに何らかの変化が生じている可能性がある。
【０１１０】
ここで、利用者の扉間歩数ＤＨの推移に変化が生じる原因としては主に以下の３つが挙げられる。
【０１１１】
原因の１つ目は、利用者が利用を開始したときの初期状態である。すなわち、この初期状態は、利用者が入退室管理システムの利用に慣れていない状態である。
【０１１２】
この初期状態では、利用者によっては入退室管理システムの使い方を誤解したり、あるいは最初に設定された許容歩数と扉間歩数ＤＨの実態とが合わなくなったりすることがある。
【０１１３】
すなわち、この初期状態において、入退室管理システムの利用に慣れていない利用者の扉間歩数ＤＨは安定しないため、扉間歩数ＤＨは上昇又は下降傾向に推移する。
【０１１４】
このとき管理者は入退室管理システムから扉間歩数ＤＨの推移が上昇傾向又は下降傾向にある利用者を通知されるので、該利用者から何らかの申告がある前に、あらかじめ該利用者の歩き方や歩くルートに変化が生じていることを予測可能となる。
【０１１５】
入退室管理システムから扉間歩数ＤＨの推移が上昇または下降傾向にある利用者がいることを通知された管理者は、該利用者の扉間歩数ＤＨの推移が上昇または下降傾向になっている原因を個別に調査し、確認をおこなう。
【０１１６】
上記確認の結果、上記原因の１つ目に該当することが確認された場合、セキュリティー管理の観点では問題が無いと判断し、その利用者の許容歩数の設定を速やかに見直すことができる。なお、この初期状態に該当するか否かは利用者の登録履歴等を確認すれば、比較的容易に判断できる。
【０１１７】
原因の２つ目は、利用者が怪我などをしている場合である。例えば、利用者が怪我をして通常の歩行が困難となると、扉間歩数ＤＨは上昇傾向に推移する。
【０１１８】
このとき管理者は入退室管理システムから扉間歩数ＤＨの推移が上昇傾向にある利用者を通知されるので、該利用者から何らかの申告がある前に、あらかじめ該利用者の歩き方や歩くルートに変化が生じていることを予測可能となる。
【０１１９】
その後、利用者が怪我の治療期間に入ると、いったん上昇した扉間歩数ＤＨは一定期間その推移に大きな変化は見られない。ところが、利用者の怪我が回復してくると、扉間歩数ＤＨは元の状態に戻り始めるため、扉間歩数ＤＨは下降傾向に推移する。
【０１２０】
このとき管理者は入退室管理システムから扉間歩数ＤＨの推移が下降傾向にある利用者を通知されるので、該利用者から何らかの申告がある前に、あらかじめ該利用者の歩き方や歩くルートに変化が生じていることを予測可能となる。
【０１２１】
入退室管理システムから扉間歩数ＤＨの推移が上昇または下降傾向にある利用者がいることを通知された管理者は、該利用者の扉間歩数ＤＨの推移が上昇または下降傾向になっている原因を個別に調査し、確認をおこなう。
【０１２２】
上記確認の結果、上記原因の２つ目に該当する場合、セキュリティー管理の観点では問題が無いと判断し、その利用者の許容歩数の設定を速やかに見直すことができる。
【０１２３】
原因の３つ目は、利用者が“寄り道”又は“近道”をしている可能性がある場合である。すなわち、利用者の正当な理由の有無に関係無く、“寄り道”をしようとすれば扉間歩数ＤＨの推移は上昇傾向になり、“近道”をしようとすれば扉間歩数ＤＨの推移は下降傾向になる。
【０１２４】
このとき管理者は、入退室管理システムから扉間歩数ＤＨの推移が上昇傾向又は下降傾向にある利用者を通知されるので、あらかじめ該利用者の歩き方や歩くルートに変化が生じていることを予測可能となる。
【０１２５】
入退室管理システムから扉間歩数ＤＨの推移が上昇または下降傾向にある利用者がいることを通知された管理者は、該利用者の扉間歩数ＤＨの推移が上昇または下降傾向になっている原因を個別に調査し、確認をおこなう。
【０１２６】
上記確認の結果、上記原因の１つ目または２つ目のいずれにも該当せず、上記原因の３つ目に該当することを確認した場合、速やかに管理者からその利用者に対して“寄り道”又は“近道”をしないように注意を促すことができる。
【０１２７】
上記のとおり、管理者に通知する通知手段を備え、この通知手段は、扉間歩数ＤＨの一定期間の推移を分析し、扉間歩数ＤＨの推移が上昇傾向又は下降傾向にあるとき、管理者に扉間歩数ＤＨの推移が上昇傾向又は下降傾向にある利用者を通知するように構成したので、許容歩数の範囲に収まらない原因が上記原因の１つ目、２つ目などに該当する利用者の場合、利便性を確保しながら、セキュリティーレベルを下げることなく、許容歩数をあらかじめ見直すことにより、正当な理由のある利用者の通行が過剰に制限されるのを未然に防止できる。
【０１２８】
また、許容歩数の範囲に収まらない原因が上記原因の３つ目などに該当する利用者の場合、セキュリティーレベルを下げることなく、“寄り道”及び“近道”を未然に防止することができる入退出管理システムを簡単に得ることができる。なお、入退室管理システムの運用時の動作は実施の形態１から実施の形態３と同じである。
【図面の簡単な説明】
【０１２９】
【図１】この発明の実施の形態１である入退室管理システムを示す構成図である。
【図２】利用者データベースの概念図である。
【図３】扉間歩数データベースの概念図である。
【図４】利用者歩数データベースの概念図である。
【図５】図１における運用時の動作フローチャートである。
【図６】この発明の実施の形態２である入退室管理システムの動作を示す平面図である。
【図７】この発明の実施の形態３である入退室管理システムにおける許容歩数の自動登録の動作フローチャートである。
【符号の説明】
【０１３０】
１  データ処理部、２  データ入力機能部、３  利用者歩数データベース部データ読み取り機能部、４  扉間歩数データベース部、５  利用者歩数データベース部扉制御機能部、６  歩数カウント機能部、７  通信機能部、８  データベース部、９  ＩＤ識別媒体、１０  あらかじめ決められたルート、１１  “寄り道”のルート、１２  １０の“近道”のルート、１３  利用者が立ち寄って欲しくない場所、Ｄ１，Ｄ２〜ＤＮ  扉  、Ｄ１１，Ｄ２１〜ＤＮ１  データ読み取り機能部、Ｄ１２，Ｄ２２〜ＤＮ２  扉制御機能部
【図１】
2011090499.tif 000003
【図２】
2011090499.tif 000004
【図３】
2011090499.tif 000005
【図４】
2011090499.tif 000006
【図５】
2011090499.tif 000007
【図６】
2011090499.tif 000008
【図７】
2011090499.tif 000009